(57)【要約】      （修正有）【課題】準備処理の電力量を割り当てて累計させることが可能な画像処理装置及び画像処理システムを提供する。【解決手段】Ｓ１０２にて印刷Ｗ／Ｕ処理が実行され、印刷Ｗ／Ｕ処理によって消費された電力量が履歴としてＨＤＤに記憶される。その後、Ｓ１０３にて印刷処理が実行され用紙に画像が印刷され、使用者ＩＤが履歴としてＨＤＤに記憶される。そして、Ｓ１０７にて履歴内に複数の使用者ＩＤが記録されている場合（Ｓ１０７：Ｙ）、Ｓ１０９において、履歴内の印刷Ｗ／Ｕ処理にて消費された電力量を各使用者ＩＤに割り当てて累計する。【選択図】図２
2010130416.tif 000002
【特許請求の範囲】
【請求項１】
使用者から指示された画像処理を実行する画像処理部と、
前記画像処理部を使用可能にするための準備処理にて消費される電力量を、使用者毎又は当該使用者にて構成されるグループ毎に累計する累計部と、
前記準備処理にて使用可能となった前記画像処理部により、複数の使用者又は複数のグループから指示された複数の指示にてそれぞれ画像処理を実行した場合、前記累計部にて前記複数の使用者又は前記複数のグループに前記電力量をそれぞれ割り当てて累計させるように制御する制御部と、
を備えることを特徴とする画像処理装置。
【請求項２】
請求項１に記載の画像処理装置であって、
前記画像処理部は、複数種類の前記画像処理に対応した複数の機能部を備え、
前記累計部は、前記複数の機能部それぞれに応じた前記準備処理をそれぞれ累計することを特徴とする画像処理装置。
【請求項３】
請求項１又は請求項２に記載の画像処理装置であって、
前記制御部は、複数の前記指示によって消費されるそれぞれの電力量の比率に応じて、前記累計部により前記電力量の割り当てて累計させるように制御することを特徴とする画像処理装置。
【請求項４】
請求項１から請求項３のいずれか一つに記載の画像処理装置であって、
前記使用者毎又は前記グループ毎に前記累計部にて累計した前記電力量を表示する表示部を備えることを特徴とする画像処理装置。
【請求項５】
使用者から指示された画像処理を実行する画像処理部と、
前記画像処理部を使用可能にするための準備処理にて消費される電力量を、使用者毎又は当該使用者にて構成されるグループ毎に累計する累計部と、
前記準備処理にて使用可能となった前記画像処理部により、複数の使用者又は複数のグループから指示された複数の指示にてそれぞれ画像処理を実行した場合、前記累計部にて前記複数の使用者又は前記複数のグループに前記電力量をそれぞれ割り当てて累計させるように制御する制御部と、
を備えることを特徴とする画像処理システム。
【発明の詳細な説明】
【技術分野】
【０００１】
本発明は、消費電力量を管理可能な印刷装置及び印刷システムに関する。
【背景技術】
【０００２】
従来より、複写機等の画像処理装置にて使用される電力量を管理する技術が提案されている。
【０００３】
例えば下記特許文献には、複写機が待機時に消費する電力量は複写機を使用する各部門に均等に配分して累計する技術が開示されている。
【０００４】
ところで、ジョブを受け付けた画像処理装置が画像処理を行う前に、ウォーミングアップと呼ばれる画像形成を実行する準備処理を実行する技術は周知の技術である。
【特許文献１】特開２００２−２９２９７７号公報
【発明の開示】
【発明が解決しようとする課題】
【０００５】
ここで、準備処理に消費される電力量を待機時に消費される電力量と捉え、準備処理に消費される電力量を管理するために上記特許文献の技術を用いると、複写機を使用する各部門に均等に準備処理に消費される電力量を累計されることとなる。
【０００６】
しかしながら上記の様に構成すると、ジョブを送信していない部門や使用者は複写機を使用していないにもかかわらず電力量が累計されることとなるため、その様な部門や使用者にとっては不利益が生じる。
【０００７】
本発明は、画像処理を指示する使用者又は当該使用者によって構成されるグループに対して、準備処理の電力量を割り当てて累計させることが可能な画像処理装置及び画像処理システムを提供することを目的とする。
【課題を解決するための手段】
【０００８】
この目的を達成するために、請求項１に記載の画像処理装置は、使用者から指示された画像処理を実行する画像処理部と、前記画像処理部を使用可能にするための準備処理にて消費される電力量を、使用者毎又は当該使用者にて構成されるグループ毎に累計する累計部と、前記準備処理にて使用可能となった前記画像処理部により、複数の使用者又は複数のグループから指示された複数の指示にてそれぞれ画像処理を実行した場合、前記累計部にて前記複数の使用者又は前記複数のグループに前記電力量をそれぞれ割り当てて累計させるように制御する制御部と、を備えることを特徴とする。
【０００９】
また、請求項２に記載の画像処理装置は、請求項１に記載の画像処理装置であって、前記画像処理部は、複数種類の前記画像処理に対応した複数の機能部を備え、前記累計部は、前記複数の機能部それぞれに応じた前記準備処理をそれぞれ累計することを特徴とする。
【００１０】
また、請求項３に記載の画像処理装置は、請求項１又は請求項２に記載の画像処理装置であって、前記制御部は、複数の前記指示によって消費されるそれぞれの電力量の比率に応じて、前記累計部により前記電力量の割り当てて累計させるように制御することを特徴とする。
【００１１】
また、請求項４に記載の画像処理装置は、請求項１から請求項３のいずれか一つに記載の画像処理装置であって、前記使用者毎又は前記グループ毎に前記累計部にて累計した前記電力量を表示する表示部を備えることを特徴とする。
【００１２】
また、請求項５に記載の画像処理システムは、使用者から指示された画像処理を実行する画像処理部と、前記画像処理部を使用可能にするための準備処理にて消費される電力量を、使用者毎又は当該使用者にて構成されるグループ毎に累計する累計部と、前記準備処理にて使用可能となった前記画像処理部により、複数の使用者又は複数のグループから指示された複数の指示にてそれぞれ画像処理を実行した場合、前記累計部にて前記複数の使用者又は前記複数のグループに前記電力量をそれぞれ割り当てて累計させるように制御する制御部と、を備えることを特徴とする。
【発明の効果】
【００１３】
＜請求項１及び請求項５の発明＞
準備処理にて使用可能となった画像処理部にて複数の使用者又は複数のグループによる画像処理が実行された場合、当該準備処理による電力量はそれら複数の使用者又は複数のグループにて累計される。
【００１４】
よって、画像処理を指示する使用者又は当該使用者によって構成されるグループに対して、準備処理の電力量を割り当てて累計させることが可能である。
【００１５】
＜請求項２の発明＞
累計部は機能部毎に電力量を累計するため、各画像処理を指示する複数の使用者に対して、それぞれの準備処理にて消費される電力量を割り当てて累計させることが可能である。
【００１６】
＜請求項３の発明＞
複数のジョブによって消費されるジョブ電力量の比率に応じて、準備動作の電力量が割り当てられて累計されるので、ジョブの内容に応じて電力量を割り当てて累計させることが可能である。
【００１７】
＜請求項４の発明＞
各使用者又はグループ毎に累計した電力量を確認可能である。
【発明を実施するための最良の形態】
【００１８】
以下、本発明の画像処理装置及び画像処理システムにおける実施形態について、詳細に説明をする。
【００１９】
＜全体構成（図１参照）＞
図１は、画像処理システムの概念及びＭＦＰ１とＰＣ２の内部構成をブロック図として示したシステム図である。
【００２０】
図１では、本発明の画像処理装置の一例としてのマルチファンクション・プリンタ（以下「ＭＦＰ」という）１と、パーソナル・コンピュータ（以下「ＰＣ」という）２とが、ネットワーク３を介して接続されている。尚、図１ではＰＣ２の内部構成を一つのＰＣ２のみしか示していないが、他のＰＣ２の内部構成も同様の構成である。
【００２１】
ＭＦＰ１は、印刷部１５と、ネットワークＩ／Ｆ１６と、表示部１７と、操作部１８と、読取部１９とを備え、これら各部は、ＣＰＵ１１，ＲＯＭ１２，ＲＡＭ１３からなる本発明の累計部及び制御部の一例としての制御回路１０により制御される。また、ＭＦＰ１
は、各種の情報を記憶するハードディスク（以下「ＨＤＤ」という）１４を備える。尚、印刷部１５及び読取部１９は本発明の画像処理部及び機能部に相当する。
【００２２】
本実施形態では、印刷処理、読取処理、複写処理等によって消費される電力量は、各処理が実行している期間にＭＦＰ１の制御回路１０によって計測される。これらの電力量はその後まとめて累計される。尚、この累計処理は後述にて説明する。
【００２３】
印刷部１５は、ＰＣ２等からの印刷ジョブを用紙に印刷処理するための機能部であり、読取部１９は、原稿を読み取ることで画像データを生成する読取処理を実行する機能部である。また、印刷部１５と読取部１９とを連続的に機能させることにより、原稿を複写する複写処理を実行することも可能である。即ち複写処理は、読取処理にて原稿を読み取り画像データを生成し、印刷処理にて当該画像データを用紙に印刷することで処理が達せられる。
【００２４】
ネットワークＩ／Ｆ１６は、ＭＦＰ１とネットワーク３とを接続するための機能部であり、ＰＣ２とデータの入出力をする。さらに、表示部１７はＬＣＤ等により構成され、各種情報を使用者に対して報知するための機能部である。また、操作部１８はプッシュボタン等により構成され、ＭＦＰ１を直接操作するための機能部である。
【００２５】
尚、表示部１７の表示と操作部１８の操作により使用者が直接ＭＦＰ１を使用するには、予め各使用者情報に応じてログインしなければならない。使用者情報とはＭＦＰ１を誰が使用しているかを判別するための情報であり、具体的には使用者ＩＤである。この様にＭＦＰ１は各使用者ＩＤにてログインして使用されることにより、使用者毎に電力量の累計が可能である。また、当該使用者ＩＤは後述するＰＣ２にも共通のものが用いられる。
【００２６】
印刷部１５又は読取部１９による処理を実行するためには、印刷部１５又は読取部１９を準備する処理であるウォーミングアップ処理がそれぞれ必要である。尚、本実施形態では印刷部１５のウォーミングアップ処理を印刷Ｗ／Ｕ処理といい、読取部１９のウォーミングアップ処理を読取Ｗ／Ｕ処理という。
【００２７】
尚、印刷部１５及び読取部１９は図示していない電源がオンされている状態において、処理状態、Ｓｌｅｅｐ状態、Ｒｅａｄｙ状態のいずれかの状態となる。処理状態とは、ＭＦＰ１が印刷部１５又は読取部１９により処理を実行している状態である。
【００２８】
また、印刷部１５のＳｌｅｅｐ状態及びＲｅａｄｙ状態は、ＭＦＰ１がＰＣ２等から印刷指示を受け付けるために待機している状態であり、読取部１９のＳｌｅｅｐ状態及びＲｅａｄｙ状態は、ＭＦＰ１が原稿を読み取るために待機している状態である。尚、この二つの状態では印刷部１５又は読取部１９のそれぞれのウォーミングアップ処理が終了しているか否かが異なる。
【００２９】
即ち、Ｓｌｅｅｐ状態では、印刷部１５又は読取部１９のウォーミングアップ処理が終了していないため、印刷部１５又は読取部１９による処理を直ぐには実行不可能である。しかしながら、Ｒｅａｄｙ状態では、印刷部１５又は読取部１９のウォーミングアップ処理が終了しているため、印刷部１５又は読取部１９による処理が直ちに実行可能である。
【００３０】
本実施形態におけるＭＦＰ１の印刷部１５及び読取部１９はそれぞれ、Ｓｌｅｅｐ状態にて印刷指示、読取指示、及び複写処理の受け付けの際、各ウォーミングアップ処理が実行され、終了すると処理状態に移行する。その後、処理状態が解除されると一定時間（Ｓｌｅｅｐ移行時間）Ｒｅａｄｙ状態に移行し、当該一定時間（Ｓｌｅｅｐ移行時間）が経過するとＳｌｅｅｐ状態に移行する。
【００３１】
この様に構成されることで、印刷指示を連続して受け付ける際や原稿の読取指示や複写指示を連続して受け付ける際等に無駄なウォーミングアップ処理を回避することが可能であり、さらに長時間Ｒｅａｄｙ状態を保つことを回避することで消費電力を抑えることが可能である。
【００３２】
ＰＣ２は、通常使用されるパーソナル・コンピュータであり、ＣＰＵ２１，ＲＯＭ２２，ＲＡＭ２３からなる制御回路２０、ハードディスク（以下「ＨＤＤ」という）２４、操作部２５、表示部２６、ネットワークＩ／Ｆ２７を備えている。
【００３３】
ＲＯＭ２２には、主にＰＣ２の基本的なプログラム（ＢＩＯＳ等）が記憶されており、ＨＤＤ２４には、基本的なプログラムの上に構成されているオペレーティングシステム（ＯＳ）等が記憶されている。
【００３４】
尚、操作部２５は、マウス、キーボード等によって構成され、使用者により操作されることで、各種のデータが入力されたり、ドライバプログラム等を含む各種のプログラムが実行される。表示部２６は、ＣＲＴやＬＣＤ等によって構成され、様々なデータや情報を使用者に対して表示する。また、ネットワークＩ／Ｆ２７は、ＰＣ２とネットワーク３とを接続するためのものであり、ＭＦＰ１とデータの入出力をする。
【００３５】
また、ＨＤＤ２４にはＰＣ２からＭＦＰ１へ印刷ジョブを送信するためのプリンタドライバが記憶されている。このプリンタドライバにより、使用者は印刷ジョブをＭＦＰ１へ送信することが可能である。
【００３６】
尚、ＰＣ２は図示していない電源がオンされている状態では、上述した各使用者ＩＤに応じてログインしている。印刷ジョブをＭＦＰ１へ送信する際などは、印刷ジョブに当該使用者ＩＤを付加して送信することで、誰が印刷ジョブを送信したかが判別できる。
【００３７】
＜印刷累計処理（図２及び図３参照）＞
図２は、ＭＦＰ１の印刷部１５による印刷累計処理を示したフローチャートである。
【００３８】
図２に示す印刷累計処理は、ＭＦＰ１において電源がオンされた状況であり印刷部１５がＳｌｅｅｐ状態にて短い時間間隔で定期的に実施される処理である。当該処理が開始されると、制御回路１０にて以下の処理が実行される。
【００３９】
まずＳ１０１により印刷指示が実行されたか否かが判断される。この判断は、印刷ジョブをＰＣ２から受信したか否か、又は後述する印刷指示が実行されたか否かで判断される。
【００４０】
ここで、印刷指示が実行されていない場合は（Ｓ１０１：Ｎ）、当該印刷累計処理が終了する。一方、印刷指示が実行された場合（Ｓ１０１：Ｙ）、Ｓ１０２にて印刷Ｗ／Ｕ処理が実行され、印刷部１５が使用可能な状態に準備される。Ｓ１０２ではさらに印刷Ｗ／Ｕ処理の履歴がＨＤＤ１４に記憶される。この履歴には印刷指示を実行した使用者ＩＤと、印刷Ｗ／Ｕ処理によって消費された電力量が記録されている。
【００４１】
その後、Ｓ１０３にて印刷処理が実行され、用紙に画像が印刷される。Ｓ１０３ではさらに印刷処理の履歴がＨＤＤ１４記憶される。この履歴には、上記履歴と同様に印刷指示を実行した使用者ＩＤと、印刷処理によって消費された電力量が記録されている。
【００４２】
Ｓ１０３の終了後、Ｓ１０４にて印刷部１５はＲｅａｄｙ状態に移行する。そして、Ｓ
１０５にてＳｌｅｅｐ移行時間が経過されたか判断される。このＳｌｅｅｐ移行時間はＲｅａｄｙ状態からＳｌｅｅｐ状態へ移行するまでの時間を示している。この時間が経過すると（Ｓ１０５：Ｙ）、後述するＳ１１１にてＳｌｅｅｐ状態に移行することとなる。また、このＳｌｅｅｐ移行時間の計測は印刷処理が実行されるたびにリセットされる。
【００４３】
Ｓ１０５にてＳｌｅｅｐ移行時間が経過していないと判断されると、Ｓ１０６にてＳ１０１と同様に印刷指示が実行されたか判断される。そしてＳ１０６にて印刷指示が実行されていないと判断されると（Ｓ１０６：Ｎ）、処理がＳ１０５に戻る。
【００４４】
この様に、Ｓ１０５とＳ１０６の処理が繰り返し実行されることで、印刷部１５がＲｅａｄｙ状態のままでＳｌｅｅｐ移行時間が経過するまで印刷指示を待機する構成になる。一方、Ｓ１０６にて印刷指示を実行したと判断されると（Ｒｅａｄｙ状態にて印刷指示が実行されたと判断されると）（Ｓ１０６：Ｙ）、Ｓ１０３にて処理が戻り、その後の処理は上述したとおりである。
【００４５】
一方、Ｓ１０５にてＳｌｅｅｐ移行時間が経過したと判断されると（Ｓ１０５：Ｙ）、Ｓ１０７にてＨＤＤ１４内の履歴内に複数の使用者ＩＤが記録されているか否かが判断される。ここで、履歴内に複数の使用者ＩＤが記録されている場合（Ｓ１０７：Ｙ）、Ｓ１０８にて履歴内の全ての使用者ＩＤに対応する、印刷処理によって消費された電力量を読み出し、使用者ＩＤ毎の比率を算出する。
【００４６】
その後、Ｓ１０９においてＳ１０８にて算出した比率に応じて、履歴内の印刷Ｗ／Ｕ処理にて消費された電力量を各使用者ＩＤに割り当てて累計する。この様に構成することで、印刷処理にて消費された電力量に応じて、印刷Ｗ／Ｕにて消費された電力量を使用者毎に割り当てることが可能である。尚、各使用者による印刷処理にて消費された電力量はそれぞれの使用者ＩＤに累計する。
【００４７】
一方、Ｓ１０７にて履歴内に複数の使用者ＩＤが記録されていない場合、即ち履歴内には使用者ＩＤが一つしか記録されていない場合（Ｓ１０７：Ｎ）、Ｓ１１０にて印刷Ｗ／Ｕ処理及び印刷処理にて消費された電力量はその使用者ＩＤに累計する。
【００４８】
Ｓ１０９及びＳ１１０の処理が終了すると、Ｓ１１１にて印刷部１５はＲｅａｄｙ状態からＳｌｅｅｐ状態に移行し、さらにＨＤＤ１４内の履歴が消去され、当該印刷累計処理が終了する。
【００４９】
以上により、使用者毎に印刷処理によって消費される電力量の累計が成される。本実施形態のように電力量を累計することで、印刷指示を実行した使用者に印刷Ｗ／Ｕ処理にて消費された電力量を割り当てて累計することが可能である。さらに、印刷処理の負荷に応じて印刷Ｗ／Ｕ処理によって消費された電力量を割り当てることが可能である。
【００５０】
次に、図３を用いて印刷累計処理における具体的な累計の例を説明する。尚、図３は面積の広さにて電力量の大きさを表している。
【００５１】
図３では、印刷部１５がＳｌｅｅｐ状態において使用者Ａからの印刷指示が実行され、その後、使用者Ｂからの印刷指示が実行された例を示している。
【００５２】
この場合、使用者Ａからの印刷指示による印刷処理（印刷処理Ａ）の前に、印刷部１５が使用可能となるように印刷Ｗ／Ｕ処理が実行される（図２のＳ１０２）。そして、印刷処理Ａが実行され（図２のＳ１０３）、さらに使用者Ｂからの印刷指示をＭＦＰ１が受け付けているため（図２のＳ１０６：Ｙ）、使用者Ｂからの印刷指示による印刷処理（印刷
処理Ｂ）が実行される。
【００５３】
その後、Ｓｌｅｅｐ移行時間が経過しＲｅａｄｙ状態からＳｌｅｅｐ状態に移行する際に（図２のＳ１０５：Ｙ）、印刷処理Ａ及び印刷処理Ｂの電力量比を算出する（図２のＳ１０８）。尚、この例の場合は印刷処理Ａの電力量対印刷処理Ｂの電力量比は１対２である。
【００５４】
次にこの１対２の電力量比を用いて印刷Ｗ／Ｕ処理にて消費された電力量を割り当てて累計する。よって、使用者Ａ及び使用者Ｂには１対２の割合で印刷Ｗ／Ｕ処理にて消費される電力量が累計される（図２のＳ１０９）。
【００５５】
＜読取累計処理（図４及び図５参照）＞
図４は、ＭＦＰ１の読取部１９による読取累計処理を示したフローチャートである。
【００５６】
図４に示す読取累計処理は、ＭＦＰ１において電源がオンされた状況であり読取部１５がＳｌｅｅｐ状態においてにて短い時間間隔で定期的に実施される処理である。当該処理が開始されると、制御回路１０にて以下の処理が実行される。尚、読取累計処理は前述した印刷累計処理と処理が類似する部分があるため、類似部分に関しては説明を省略する。
【００５７】
まずＳ２０１により読取処理又は複写処理のいずれかの指示が使用者からなされたか否かが判断される。具体的には、読取部１９に原稿が載置され、使用者による操作部１８の操作から読取処理又は複写処理いずれかの開始の指示が実行されたか否かを判断している。尚、上述した様にＭＦＰ１を操作部１８にて直接操作するためには、予め使用者ＩＤを用いてログインする必要がある。
【００５８】
ここで、読取処理又は複写処理の指示がなされていないと判断された場合は（Ｓ２０１：Ｎ）、当該読取累計処理が終了する。一方、読取処理又は複写処理の指示がなされたと判断された場合（Ｓ２０１：Ｙ）、Ｓ２０２からＳ２０４の処理にて、読取部１９を使用可能な状態に準備する処理である読取Ｗ／Ｕ処理と読取Ｗ／Ｕ処理の履歴のＨＤＤ１４への記憶、原稿を読み取って画像データを生成する読取処理と読取処理の履歴のＨＤＤ１４への記憶、及び読取部１９のＲｅａｄｙ状態への移行が実行される。
【００５９】
これらＳ２０２からＳ２０４の処理は、上述した印刷累計処理のおけるＳ１０２からＳ１０４の処理を読取処理にて実行した処理であるため、説明を省略する。尚、履歴に記録される使用者ＩＤは、読取処理又は複写処理の指示を実行した使用者ＩＤが記録される。
【００６０】
Ｓ２０４の処理が終了すると、Ｓ３０１にてＳ２０１で読取処理が指示されたか否かが判断される。本実施形態では、Ｓ２０１にて読取処理又は複写処理のいずれかが指示されているため、Ｓ３０１では読取処理又は複写処理のどちらが指示されたか判断される。ここで読取処理が指示されていない、即ち複写処理が指示されたと判断される場合（Ｓ３０１：Ｎ）、Ｓ３０２にて印刷指示を実行し、図２に示す印刷累計処理が実行される。即ち、Ｓ３０２による印刷指示が実行されることで、印刷部１５によるＳ２０３の読取処理にて生成された画像データの印刷処理が実行される。
【００６１】
Ｓ３０１からＳ３０２のように処理されることで、複写処理による読取処理及び印刷処理が独立して処理され、それぞれの処理にて使用される電力量をそれぞれ累計可能である。尚、印刷累計処理と読取累計処理は制御回路１０にてそれぞれ独立して処理される。
【００６２】
一方、Ｓ３０１にて読取処理が指示されたと判断される場合（Ｓ３０１：Ｙ）、及びＳ３０２の処理後、Ｓ２０５以降の処理が実行される。Ｓ２０５からＳ２１１の処理は、印
刷累計処理におけるＳ１０５からＳ１１１の処理を読取処理にて実行した処理であるため、説明を省略する。
【００６３】
尚、Ｓ２０６の処理は、Ｓ２０１のように読取部１９に原稿が載置され、使用者による操作部１８の操作から読取処理又は複写処理のいずれかの開始が指示されたか否かを判断している。
【００６４】
以上により、使用者毎に読取処理によって消費される電力量の累計が成される。本実施形態のように電力量を累計することで、読取処理又は複写処理を指示した使用者に読取Ｗ／Ｕ処理にて消費された電力量を割り当てて累計することが可能である。さらに、読取処理の負荷に応じて読取Ｗ／Ｕ処理によって消費された電力量を割り当てることが可能である。
【００６５】
また、複写処理における読取処理及び印刷処理にて消費される電力量をそれぞれ独立して累計することが可能である。
【００６６】
次に、図５にて印刷累計処理と読取累計処理が連続する場合の具体的な累計の例を説明する。尚、図５は面積の広さにて電力量の大きさを表している。
【００６７】
図５では、印刷部１５がＳｌｅｅｐ状態において使用者Ａからの印刷指示をＭＦＰ１が受け付け印刷累計処理が実行されている間に、読取部１９がＳｌｅｅｐ状態において使用者Ｂからの複写処理が指示された例を示している。
【００６８】
この場合、印刷処理Ａの前に、印刷部１５が使用可能となるように印刷Ｗ／Ｕ処理が実行され（図２のＳ１０２）、印刷処理Ａが実行される（図２のＳ１０３）。印刷処理Ａが実行される間に、使用者Ｂによる複写処理の指示が実行されると（図４のＳ２０１：Ｙ）、読取部１９が使用可能となるように読取Ｗ／Ｕ処理が実行され（図４のＳ２０２）、使用者Ｂの指示した読取処理（読取処理Ｂ）が実行される（図４のＳ２０３）。
【００６９】
印刷処理Ａの印刷処理が終了すると印刷部１５がＲｅａｄｙ状態に移行し（図２のＳ１０４）、印刷指示が実行される又はＳｌｅｅｐ移行時間が経過するまで待機する。図５の例では、使用者Ｂによって指示された処理が複写処理であるため、読取部１９による読取処理Ｂが終了すると、続いて印刷部１５による印刷処理Ｂが実行されるように印刷指示が実行される（図４のＳ３０２）。よって、印刷部１５のＲｅａｄｙ状態は使用者Ｂの印刷指示が実行されることで解除され、印刷部１５による印刷累計処理が実行される。
【００７０】
その後、印刷処理によって消費された電力量の累計は、図３にて説明したように印刷処理によって消費した電力量の比に応じて、それぞれの使用者にて印刷Ｗ／Ｕ処理によって消費された電力量が累計される。また、読取処理によって消費された電力量の累計は、図５のように読取処理Ｂの終了後に新たな読取処理が実行されていないため、使用者Ｂにて読取Ｗ／Ｕ処理によって消費された電力量が累計される（図４のＳ２１０）。
【００７１】
以上のように、印刷累計処理と読取累計処理とは独立して電力量の累計を実行している。また、複写処理は印刷処理と読取処理とが連続して実行される処理であるため、それぞれ独立して電力量の累計処理が実行される。
【００７２】
＜消費電力量の表示（図６参照）＞
図６はＭＦＰ１の表示部１７に表示する累計電力量の表示図である。
【００７３】
使用者はＭＦＰ１の操作部１８を操作し、表示部１７に図６のような累計電力量の情報
を表示することが可能である。
【００７４】
図６に示す情報は、各使用者ＩＤに対応した累計電力量と、Ｓｌｅｅｐ時の累計電力量、その他の累計電力量を表示する。尚、その他の累計電力量はＳｌｅｅｐ状態における電力量や、Ｒｅａｄｙ状態における電力量等、使用者に関係しない電力量を累計したものである。
【００７５】
使用者はこの情報を確認することで、自身や他人がどの程度電力量を消費しているか確認可能である。
【００７６】
＜他の実施形態＞
（１）本実施形態では電力量の管理を使用者毎に行っていたが、例えば複数の使用者によって構成されるグループ毎に管理をしても良い。
【００７７】
（２）本実施形態では図２のＳ１０８及び図４のＳ２０８にてそれぞれの処理によって消費した電力量の比率を算出していたが、単純にウォーミングアップにて消費する電力を使用者の数で割り当てて累計しても良い。
【００７８】
（３）本実施形態では消費される電力量を測定して使用者毎に累計していたが、例えばＭＦＰ１にて消費される電力量をデータ量等から推定して、その値を用いて累計処理を実行しても良い。
【００７９】
（４）本実施形態では消費電力量の表示（図６参照）、電力量の累計、電力量の割り当などの処理はＭＦＰ１側で実行する処理であったが、ＰＣ２側で実行できる構成であっても良い。
【００８０】
（５）本実施形態では印刷処理、読取処理、複写処理の三つの処理にて累計処理を説明したが、画像処理はこれら三つの処理に限定されない。例えば、ＦＡＸ通信処理等の他の画像処理にも本実施形態の累計処理は適用可能である。
【００８１】
（６）本実施形態では画像処理装置の一例としてＭＦＰにて説明したが、画像処理装置はＭＦＰに限定されず、例えば複写機、複合機、プリンタ、スキャナ、ファクシミリ装置等のように画像処理が可能な装置であってウォーミングアップ処理のような準備処理を実行する装置であれば良い。
【図面の簡単な説明】
【００８２】
【図１】画像処理システムの概念及びＭＦＰとＰＣの内部構成をブロック図として示したシステム図である。
【図２】ＭＦＰの印刷部による印刷累計処理を示したフローチャートである。
【図３】印刷累計処理における具体的な累計の例を説明する説明図である。
【図４】ＭＦＰの読取部による読取累計処理を示したフローチャートである。
【図５】印刷累計処理と読取累計処理が連続する場合の具体的な累計の例を説明する説明図である。
【図６】ＭＦＰの表示部に表示する累計電力量の表示図である。
【符号の説明】
【００８３】
１  ＭＦＰ
２  ＰＣ
１０，２０  制御回路
１１，２１  ＣＰＵ
１２，２２  ＲＯＭ
１３，２３  ＲＡＭ
１４，２４  ＨＤＤ
１５  印刷部
１７，２６  表示部
１８，２５  操作部
１９  読取部
【図１】
2010130416.tif 000003
【図２】
2010130416.tif 000004
【図３】
2010130416.tif 000005
【図４】
2010130416.tif 000006
【図５】
2010130416.tif 000007
【図６】
2010130416.tif 000008